(57)【特許請求の範囲】
【請求項１】
被写体を撮影する撮像手段と、上記撮像手段から出力される画像信号をディジタル化するとともに圧縮符号化する画像処理手段と、上記画像処理手段により圧縮符号化された画像データ及び制御データを他の撮像装置との間で送受信する通信手段とを有する撮像装置において、
上記撮像手段で撮像されている画像と、上記通信手段によって受信した上記他の撮像装置で撮像されている画像とを表示手段に同時に表示するよう制御する表示制御手段と、
回転移動及び平行移動可能な回転軸を有する操作手段と、
上記操作手段の回転軸の回転移動を検出する回転移動検出手段と、
上記操作手段の回転軸の平行移動を検出する平行移動検出手段と、
上記表示制御手段の制御による表示中に、上記操作手段の回転軸の回転移動に基づいて上記撮像装置のズーム動作または上記他の撮像装置のズーム動作を制御する動作制御手段と、
上記表示制御手段の制御による表示中に、上記操作手段の回転軸の平行移動によって上記操作手段の回転軸の回転移動の制御対象を上記撮像装置のズーム動作とするか、上記他の撮像装置のズーム動作とするかを切り替える操作対象切り替え手段とを具備し、
上記制御対象が上記撮像装置のズーム動作である場合に、上記回転軸の第１の方向への回転移動に基づいて上記撮像装置によって撮像される画像が広角側になるように上記動作制御手段がズーム動作を制御するとともに、上記表示制御手段は上記撮像装置により撮像されている広角の画像を表示するように制御し、さらに、上記回転軸の、上記第１の方向とは逆方向である第２の方向への回転移動に基づいて上記撮像装置によって撮像される画像が望遠側になるように上記動作制御手段がズーム動作を制御するとともに、上記表示制御手段は上記撮像装置により撮像されている望遠の画像を表示するように制御し、
上記制御対象が上記他の撮像装置のズーム動作である場合に、上記回転軸の上記第１の方向への回転移動に基づいて上記他の撮像装置によって撮像される画像が広角側になるように上記動作制御手段がズーム動作を制御するとともに、上記表示制御手段は上記他の撮像装置により撮像されている広角の画像を表示するように制御し、さらに、上記回転軸の上記第２の方向への回転移動に基づいて上記他の撮像装置によって撮像される画像が望遠側になるように上記動作制御手段がズーム動作を制御するとともに、上記表示制御手段は上記他の撮像装置により撮像されている望遠の画像を表示するように制御することを特徴とする撮像装置。
【請求項２】
回転移動及び平行移動可能な回転軸を有する操作手段と、被写体を撮影する撮像手段と、上記撮像手段から出力される画像信号をディジタル化するとともに圧縮符号化する画像処理手段と、上記画像処理手段により圧縮符号化された画像データ及び制御データを他の撮像装置との間で送受信する通信手段とを有する撮像装置の制御方法において、
上記撮像手段で撮像されている画像と、上記通信手段によって受信した上記他の撮像装置で撮像されている画像とを表示手段に同時に表示するよう制御する表示制御工程と、
上記操作手段の回転軸の回転移動を検出する回転移動検出工程と、
上記操作手段の回転軸の平行移動を検出する平行移動検出工程と、
上記表示制御工程における制御による表示中に、上記操作手段の回転軸の回転移動に基づいて上記撮像装置のズーム動作または他の撮像装置のズーム動作を制御する動作制御工程と、
上記表示制御工程における制御による表示中に、上記操作手段の回転軸の平行移動によって上記操作手段の回転軸の回転移動の制御対象を上記撮像装置のズーム動作とするか、上記他の撮像装置のズーム動作とするかを切り替える操作対象切り替え工程とを具備し、
上記制御対象が上記撮像装置のズーム動作である場合に、上記回転軸の第１の方向への回転移動に基づいて上記撮像装置によって撮像される画像が広角側になるように上記動作制御工程においてズーム動作を制御するとともに、上記表示制御工程においては上記撮像装置により撮像されている広角の画像を表示するように制御し、さらに、上記回転軸の、上記第１の方向とは逆方向である第２の方向への回転移動に基づいて上記撮像装置によって撮像される画像が望遠側になるように上記動作制御工程においてズーム動作を制御するとともに、上記表示制御工程においては上記撮像装置により撮像されている望遠の画像を表示するように制御し、
上記制御対象が上記他の撮像装置のズーム動作である場合に、上記回転軸の上記第１の方向への回転移動に基づいて上記他の撮像装置によって撮像される画像が広角側になるように上記動作制御工程においてズーム動作を制御するとともに、上記表示制御工程においては上記他の撮像装置により撮像されている広角の画像を表示するように制御し、さらに、上記回転軸の上記第２の方向への回転移動に基づいて上記他の撮像装置によって撮像される画像が望遠側になるように上記動作制御工程においてズーム動作を制御するとともに、上記表示制御工程においては上記他の撮像装置により撮像されている望遠の画像を表示するように制御することを特徴とする撮像装置の制御方法。
【発明の詳細な説明】
【０００１】
【発明の属する技術分野】
本発明は、撮像装置およびその制御方法に関する。
【０００２】
【従来の技術】
図９に、従来の通信機能付き撮像装置の構成例を示す。
図９において、1 はレンズ、2 はレンズの絞り、3 は変倍レンズを駆動するためのモータ、4 は変倍レンズを駆動する駆動手段、5 は絞りを駆動するモータ、6 は絞り機構を駆動させる駆動手段、7 はフォーカスレンズを駆動させるモータ、8 はフォーカスレンズを駆動させる駆動手段を示す。
【０００３】
9 は撮像素子（CCD)、1Oは撮像素子からの映像信号をサンプルホールド及びAGC （オートゲインコントロール）を行うためのCDS/AGC 回路、11はアナログ信号をディジタル信号に変換するA/D 変換回路、12は輝度信号および色信号を適切な映像信号になるように処理するための信号処理回路、13は画像を圧縮するための画像圧縮／伸張回路で、例えばJPEGやH.263 やDVフォーマットである。
【０００４】
14はメモリ、15は通信プロトコル、16はPHS 送受信部、17はマイコン、18はディジタル信号をアナログ信号に変換するD/A 変換回路、19はアンテナ、20はモニタ（または液晶）、21はキー判別手段、22は電話番号を入力するための10キーを示している。23はマイク、24はマイク23から入力された音声信号を適正な信号に処理するための音声信号処理向路、25はアナログの音声信号をデジタル信号に変換するA/D 変換器を示している。
【０００５】
次に、以上のように構成された通信機能付き撮像装置の動作について説明すると、レンズ1 、撮像素子9 を通して撮像されて生成された電気信号は、カメラ信号処理回路12で映像信号となるように処理され、さらに、画像圧縮／伸張回路13によってデータ圧縮される。
【０００６】
そして、画像圧縮／伸張回路13で圧縮されたデータは通信プロトコル15で、規定の通信規約に沿ったデータに処理され、PHS 送受信部16を経て、アンテナ19から送信される。また、カメラ信号処理回路12から出力されたデータは、D/A 変換回路18でアナログ信号に変換され、モニタ20に映すための処理をした後、映像をモニタ20に出力する。
【０００７】
さらに、外部から無線で送信された画像及び音声信号は、アンテナ19を通してPHS 送受信部16で受信され、通信プロトコル15を経由して画像データ及び音声データを得ることができる。その後、画像データは、画像圧縮／伸張回路13で伸張され、18のD/A 変換器を経てモニタ20に出力される。
【０００８】
マイクロコンピュータ17は、この機器のシステムを制御しているものであり、レンズの各制御（変倍レンズ・絞りの制御）及びカメラ信号処理の制御、通信の制御、キーの制御などを行っている。22は電話をかけるときに相手の電話番号を押す10キーを示し、21はその押されたキーの判別をする判別回路で、その出力はマイクロコンピュータ17に入力され、ここで、電話をかける一連の制御が行われる。
【０００９】
また、音声に関しても同様で、マイク23から音声を入力した後、音声処理回路24で音声信号が処理され、次の音声A/D 回路25を経て、通信プロトコル15に入力される。その後は、映像信号と同じようにPHS 送受信部16を経て、アンテナ19から無線で送信される。
【００１０】
【発明が解決しようとする課題】
しかしながら、上記従来の通信機能付き撮像装置においては、カメラで映像を撮るときに、特別な機能、例えば画面上の指定された人物にフォーカスを自動的に合わせたり、また画面上の指定された人物の露出を最適に合わせるといった機能がなかった。
【００１１】
これは、そのような機能を設けると、自動フォーカス機能のための操作キーや、指定された人物の露出を最適に合わせるための操作キー等が増えてしまい、小型化を実現することが困難になってしまうためである。すなわち、自動フォーカス機能や自動露出機能は、小型化を実現する場合には配設することが困難であった。
【００１２】
本発明は上述の点に鑑みてなされたものであり、画面上の指定された人物にフォーカスを自動的に合わせたり、画面上の指定された人物の露出を最適に合わせたりする機能を有する通信機能付き撮像装置の小型化を実現することを第１の目的とする。
また、装置に設けた各機能をより簡潔に操作できるようにすることを第２の目的とする。
【００１３】
【課題を解決するための手段】
本発明の撮像装置は、被写体を撮影する撮像手段と、上記撮像手段から出力される画像信号をディジタル化するとともに圧縮符号化する画像処理手段と、上記画像処理手段により圧縮符号化された画像データ及び制御データを他の撮像装置との間で送受信する通信手段とを有する撮像装置において、上記撮像手段で撮像されている画像と、上記通信手段によって受信した上記他の撮像装置で撮像されている画像とを表示手段に同時に表示するよう制御する表示制御手段と、回転移動及び平行移動可能な回転軸を有する操作手段と、上記操作手段の回転軸の回転移動を検出する回転移動検出手段と、上記操作手段の回転軸の平行移動を検出する平行移動検出手段と、上記表示制御手段の制御による表示中に、上記操作手段の回転軸の回転移動に基づいて上記撮像装置のズーム動作または上記他の撮像装置のズーム動作を制御する動作制御手段と、上記表示制御手段の制御による表示中に、上記操作手段の回転軸の平行移動によって上記操作手段の回転軸の回転移動の制御対象を上記撮像装置のズーム動作とするか、上記他の撮像装置のズーム動作とするかを切り替える操作対象切り替え手段とを具備し、上記制御対象が上記撮像装置のズーム動作である場合に、上記回転軸の第１の方向への回転移動に基づいて上記撮像装置によって撮像される画像が広角側になるように上記動作制御手段がズーム動作を制御するとともに、上記表示制御手段は上記撮像装置により撮像されている広角の画像を表示するように制御し、さらに、上記回転軸の、上記第１の方向とは逆方向である第２の方向への回転移動に基づいて上記撮像装置によって撮像される画像が望遠側になるように上記動作制御手段がズーム動作を制御するとともに、上記表示制御手段は上記撮像装置により撮像されている望遠の画像を表示するように制御し、上記制御対象が上記他の撮像装置のズーム動作である場合に、上記回転軸の上記第１の方向への回転移動に基づいて上記他の撮像装置によって撮像される画像が広角側になるように上記動作制御手段がズーム動作を制御するとともに、上記表示制御手段は上記他の撮像装置により撮像されている広角の画像を表示するように制御し、さらに、上記回転軸の上記第２の方向への回転移動に基づいて上記他の撮像装置によって撮像される画像が望遠側になるように上記動作制御手段がズーム動作を制御するとともに、上記表示制御手段は上記他の撮像装置により撮像されている望遠の画像を表示するように制御することを特徴とする。
本発明の撮像装置の制御方法は、回転移動及び平行移動可能な回転軸を有する操作手段と、被写体を撮影する撮像手段と、上記撮像手段から出力される画像信号をディジタル化するとともに圧縮符号化する画像処理手段と、上記画像処理手段により圧縮符号化された画像データ及び制御データを他の撮像装置との間で送受信する通信手段とを有する撮像装置の制御方法において、上記撮像手段で撮像されている画像と、上記通信手段によって受信した上記他の撮像装置で撮像されている画像とを表示手段に同時に表示するよう制御する表示制御工程と、上記操作手段の回転軸の回転移動を検出する回転移動検出工程と、上記操作手段の回転軸の平行移動を検出する平行移動検出工程と、上記表示制御工程における制御による表示中に、上記操作手段の回転軸の回転移動に基づいて上記撮像装置のズーム動作または他の撮像装置のズーム動作を制御する動作制御工程と、上記表示制御工程における制御による表示中に、上記操作手段の回転軸の平行移動によって上記操作手段の回転軸の回転移動の制御対象を上記撮像装置のズーム動作とするか、上記他の撮像装置のズーム動作とするかを切り替える操作対象切り替え工程とを具備し、上記制御対象が上記撮像装置のズーム動作である場合に、上記回転軸の第１の方向への回転移動に基づいて上記撮像装置によって撮像される画像が広角側になるように上記動作制御工程においてズーム動作を制御するとともに、上記表示制御工程においては上記撮像装置により撮像されている広角の画像を表示するように制御し、さらに、上記回転軸の、上記第１の方向とは逆方向である第２の方向への回転移動に基づいて上記撮像装置によって撮像される画像が望遠側になるように上記動作制御工程においてズーム動作を制御するとともに、上記表示制御工程においては上記撮像装置により撮像されている望遠の画像を表示するように制御し、上記制御対象が上記他の撮像装置のズーム動作である場合に、上記回転軸の上記第１の方向への回転移動に基づいて上記他の撮像装置によって撮像される画像が広角側になるように上記動作制御工程においてズーム動作を制御するとともに、上記表示制御工程においては上記他の撮像装置により撮像されている広角の画像を表示するように制御し、さらに、上記回転軸の上記第２の方向への回転移動に基づいて上記他の撮像装置によって撮像される画像が望遠側になるように上記動作制御工程においてズーム動作を制御するとともに、上記表示制御工程においては上記他の撮像装置により撮像されている望遠の画像を表示するように制御することを特徴とする。
【００１７】
【発明の実施の形態】
（第１の実施の形態）
次に、本発明の通信機能付き撮像装置、撮像方法、撮像システム及び記憶媒体の第１の実施の形態について図面を用いて説明する。
図１は、本発明を撮影モードと通話モードとを有する携帯テレビ電話に適用した実施の形態を示す図である。
【００１８】
図１において、101 は撮影レンズ、102 は通話時の音声を聞くためのスピ一カ、103 は撮影モード時の画像または受信画像、通話モード時の操作内容を表示する液晶ディスプレイ、104 は通話モード時に電話番号を入力するテンキー、105 はマイク、106 はレバーとしての機能と押しボタンスイッチとしての機能を併せ持つレバー押しボタンスイッチ、107 は送受信アンテナ、108 は撮影モードか通話モードかを選択し、また電源スイッチも兼ねているパワースイッチである。
【００１９】
また、図２は本実施の形態の構成を示す機能ブロック図である。図２において、201 は被写体を取り込む撮影レンズ、202 は上記撮影レンズを駆動し、被写体の撮影倍率を変化させるズームレンズ駆動モータ、203 は後述の撮像素子への光量を制御する絞り、204 は取り込んだ被写体を画像信号に変換する撮像素子である。
【００２０】
205 は上記画像信号をサンプルホールドし、適正な信号レベルにするCDS/AGC 、206 は上記CDS/AGC からの画像信号をA/D 変換し、ディジタル信号処理を行うディジタル信号処理回路、207 は上記ディジタル信号処理回路からのディジタル画像信号を圧縮する画像圧縮回路、208 は上記画像圧縮回路からの圧縮画像を記録する記録媒体である。
【００２１】
209 は上記圧縮画像を伸張して元のディジタル画像信号に戻す画像伸張回路、210 は撮影時は上記ディジタル信号処理回路から画像信号を、また再生時には上記記録媒体一画像伸張回路からのディジタル画像信号をNTSC画像信号にして画像出力するNTSCエンコーダである。
【００２２】
211 は信号出力端子、212 は上記NTSCエンコーダと同様のディジタル画像信号を、本体内蔵の液晶ディスプレイ213 に出力する液晶ドライバ、214 は上記圧縮画像データ、音声データ等を一定の手順で送受信コントロールを行う通信プロトコル制御部、215 は通信プロトコルからのデータを送信し、また相手の端末からのデータを受信するPHS 送受信部、216 は送受信アンテナである。
【００２３】
217 はレンズのズーミング、露出等に関する制御を行うカメラコントローラ、218 は通話モードで用いる電話番号を記憶している電話番号メモリ、219 は後述の操作キーからの操作を受け付け、操作の実行を行うシステムコントローラ、220 は、レバースイッチとしての機能と押しボタンスイッチとしての機能を併せ持つレバー押しボタンスイッチを含む操作キー類である。
【００２４】
221 はマイク、222 はマイクアンプ、223 は音声信号をD/A 変換またはA/D 変換するディジタル信号処理部、224 は音声データを圧縮または伸長する音声圧縮／伸長部、225 は後述のスピーカを駆動するアンプ、226 はスピーカである。
【００２５】
図３は、図１における上記レバー押しボタンスイッチ106 の詳細な構造を示す図である。
図３（ａ）において、301 〜305 は端子、306 はレバー、307 は押しボタンスイッチ、308 は抵抗体、309 は摺動子、310 はA/D コンバータである。なお、上記レバーの軸にはスプリングが入っており、操作者が手を離している状態では、常にセンターに位置するようになされている。
【００２６】
また、上記レバー306 はセンター位置を中心として±45°の範囲で回動させることができる。以上の構成にて、上記レバー306 の回動量は上記端子302 〜303 間及び上記端子303 〜304 間の抵抗値の変化として検出される。
【００２７】
この抵抗値は、図３（ｂ）の回路図のように接続すると、上記端子303 の電圧値の連続した変化となるので、これを上記A/D コンバータ310 にてディジタル化し、パルス列として上記システムコントローラ219 で検出を行う。本実施の形態においては、上記A/D コンバータ310 は2 ビットのものを使用し、上記レバー押しボタンスイッチ106 の回動量が4 個のパルスで表現され、すなわち、22.5°で１ステップと認識される。
【００２８】
さらに、図３（ａ）において、回転ダイヤル306 は、図中A の方向に可動となっており、このA 方向の動作は、上記押しボタンスイッチ307 によって、上記端子301 〜305 間の導通として検出される。
【００２９】
以上の構成の携帯テレビ電話において、同様の携帯テレビ電話同士で通信中であって、上記パワースイッチ108 が撮影モードになっている場合、上記液晶ディスプレイ103 では、図１に示したように表示される。ここで、103aは相手の映像、103bは自分の映像である。
【００３０】
この時、上記レバー押しボタンスイッチ106 を上向きに回動させると、自分の撮影レンズ101 が広角側にズーミングし、映像103bが広角の画像となる。また、上記レバー押しボタンスイッチ106 を下向きに回動させると、自分の撮影レンズ101 が望遠側にズーミングし、映像103bが望遠の画像となる。そして、上記レバー押しボタンスイッチから手を離すとセンター位置に戻り、撮影レンズ101 のズームは止まる。
【００３１】
さらに、上記レバー押しボタンスイッチ106 の回動量が、センター位置に対して0 〜22.5°では上記撮像レンズのズームは低速で動き、22.5〜45°では高速で動くようになる。
【００３２】
また、上記レバー押しスイッチ106 を押した場合、操作の対象が相手の携帯テレビ電話に変わる。この時、上記レバー押しボタンスイッチ106 を上向きに回動させると、相手の撮影レンズ101 が広角側にズーミングし、映像103aが広角の画像となる。また、上記レバー押しボタンスイッチ106 を下向きに回動させると、相手の撮影レンズ101 が望遠側にズーミングし、映像103aが望遠の画像となる。
【００３３】
一方、上記パワースイッチ108 が通話モードになっている場合、上記レバー押しボタンをどちらかに回動させると、図４に示す通り液晶ディスプレイに、あらかじめ記憶されている電話番号が表示される。図４においては、“060-123-4567”が選択された状態を示している。
【００３４】
ここで、上記レバー押しボタンスイッチ106 を上向きに回動させると、上に表示されている“060-456-4567”に選択が変わる。また、上記レバー押しボタンスイッチ106 を下向きに回動させると、下に表示されている“060-123-1234”に選択が変わる。さらに、上記レバー押しボタンスイッチ106 を押すと、上記選択されている電話番号の発呼が実行される。
【００３５】
以上のように、本実施の形態では、上記撮像部のズームコントロール、ズームコントロール先の選択、上記電話番号選択、発呼の実行の４つの機能を、上記１つのレバー押しボタンスイッチ106 で操作することができる。
【００３６】
なお、本実施の形態では撮影モード時の上記レバー押しボタンスイッチ106 の操作機能は撮影レンズのズーミングであるが、ほかに、カメラの露出補正機能や合焦位置調整等の機能であっても良い。例えば、上記操作機能が上記露出補正機能の場合は、上記レバー押しボタンスイッチ106 を上向きに回動させると画像が明るくなり、上記レバー押しボタンスイッチ106 を下向きに回動させると画像が暗くなるようにすることができる。
【００３７】
また、上記操作機能が上記合焦位置調整の場合、上記レバー押しボタンスイッチ106 を上向きに回動させると合焦位置がカメラから遠い位置となり、上記レバー押しボタンスイッチ106 を下向きに回動させると合焦位置がカメラに近くなるようにすることができる。
【００３８】
（第２の実施の形態）
次に、本発明の第２の実施の形態について図面を用いて説明する。
図５は、本発明を撮影モードと通話モードを有する携帯テレビ電話に適用した実施の形態を示す図である。図５において、501 は撮影レンズ、502 は通話時の音声を聞くためのスピーカ、503 は撮影モード時の画像または受信画像、通話モード時の操作内容を表示する液晶ディスプレイ、504 は通話モード時に電話番号を入力する10キー、505 はマイク、506 は回転ダイヤルとしての機能と押しボタンスイッチとしての機能を併せ持つ回転押しボタンスイッチ、507 は送受信アンテナ、508 は撮影モードか通話モードかを選択し、また電源スイッチも兼ねているパワースイッチである。
【００３９】
また、本実施の形態の構成を示すブロック図は、上記第１の実施の形態で示した図２と同様である。図６は、図５における上記回転しボタンスイッチ506 の詳細な構造を示す図である。図６（ａ）、（ｂ）において、601 〜605 は端子、606 は回転ダイヤル、607 は押しボタンスイッチ、608 は低抗体、609 は摺動子、610 はA/D コンバータである。
【００４０】
以上の構成において、上記回転ダイヤル606 の回転量は上記端子602-603 間及び上記端子603-604 間の抵抗値の変化として検出される。この低抗値は、図６（ｂ）の回路図のように接続すると、上記端子603 の電圧値の連続した変化となるので、これを上記A/D コンバータ610 にてディジタル化し、パルス列として上記システムコントローラ219 で検出を行う。本実施の形態においては、上記A/D コンバータ610 は4 ビットのものを使用し、上記回転押しボタンスイッチ506 の一回転が16個のパルスで表現され、すなわち1/16回転で一ステップと認識される。
【００４１】
さらに、図６において、回転ダイヤル606 は、図中A の方向に可動となっており、このA 方向の動作は、上記押しボタンスイッチ607 によって、上記端子601 〜605 間の導通として検出される。
【００４２】
以上の構成の携帯テレビ電話において、同様の携帯テレビ電話同士で通信中であって、上記パワースイッチ508 が撮影モードになっている場合、上記液晶ディスプレイ503 では図５に示すように表示される。ここで、503aは相手の映像、503bは自分の映像である。
【００４３】
この時、上記回転押しボタンスイッチ506 を右（図中、上向きの矢印方向）に回すと、自分の撮影レンズ501 が、回転量に従って広角側にズーミングし、映像503bが広角の画像となる。また、上記回転押しボタンスイッチ506 を左（図中、下向きの矢印方向）に回すと、自分の撮影レンズ501 が上記回転量に従って望遠側にズーミングし、映像503bが望遠の画像となる。
【００４４】
また、上記回転押しボタンスイッチ506 を押した場合、操作の対象が、相手の携帯テレビ電話に変わる。この時、上記回転押しボタンスイッチ506 を右に回すと、相手の撮影レンズ501 が広角側にズーミングし、映像503aが広角の画像となる。また、上記回転押しボタンスイッチ506 を左に回すと、相手の撮影レンズ501 が望遠側にズーミングし、映像503aが望遠の画像となる。
【００４５】
一方、上記パワースイッチ508 が通話モードになっている場合、上記回転押しボタンスイッチ506 をどちらかに回すと、図７に示す通り液晶ディスプレイに、あらかじめ記憶されている電話番号の表示が出る。図７においては、“060-123-4567”が選択された状態を示している。ここで、上記回転押しボタンスイッチ506 を右に回すと、上に表示されている“0123-45-4567”に選択が変わる。また、上記レバー押しボタンスイッチ506 を左に回すと、下に表示されている“03-0123-1234”に選択が変わる。
【００４６】
さらに、上記回転押しボタンスイッチ506 を押すと、上記選択されている電話番号の発呼が実行される。以上のように、本実施の形態では、上記撮像部のズームコントロール、ズームコントロール先の選択、上記電話番号選択、発呼の実行の４つの機能を、１つの上記回転押しボタンスイッチ506 で行うようにすることができる。
【００４７】
なお、本実施の形態では撮影モード時の上記回転押しボタンスイッチ506 の操作機能は撮影レンズのズーミングであるが、カメラの露出補正機能や合焦位置調整等の機能であっても良い。例えば、上記操作機能が上記露出補正機能の場合は、上記回転押しボタンスイッチ506 を右に回すと画像が明るくなり、上記回転押しボタンスイッチ506 を左に回すと画像が暗くなるようにすることができる。
【００４８】
また、上記操作機能が上記合焦位置調整の場合、上記回転押しボタンスイッチ506 を右に回すと合焦位置がカメラから遠い位置となり、上記回転押しボタンスイッチ506 を左に回すと合焦位置がカメラに近くなる。
【００４９】
（第３の実施の形態）
次に、本発明の第３の実施の形態について図面を用いて説明する。
図８は、本実施の形態の図である。また、本実施の形態のブロック図及び上記レバー押しボタンスイッチ106 の詳細な構造を示す図は、上記第１の実施の形態の図２及び図３と同様である。
【００５０】
上記構成にて、図８に示すようにお互いの画像を相手に表示しながら通信している状態において、一方の通信機能付き撮像装置Ａのレバー押しボタンスイッチは相手の撮像装置を制御する状態、また他方の通信機能付き撮像装置Ｂは自分の撮像装置を制御する状態になっている場合、上記他方の通信機能付き撮像装置Ｂにおいて制御の競合が発生する。
【００５１】
例えば、一方の通信機能付き撮像装置Ａの使用者は、上記他方の通信機能付き撮像装置Ｂに対してズームを望遠側に操作し、同時に他方の通信機能付き撮像装置Ｂが自分の撮像装置に対してズームを広角側に操作しようとしている場合、上記競合が発生する。この時、他方の通信機能付き撮像装置Ｂでは自機からの操作が優先され、広角側への制御が実行される。以上のように本実施の形態では、操作の競合が発生した場合でも円滑な制御が可能となる。
【００５２】
（本発明の他の実施形態）
本発明は複数の機器（例えば、ホストコンピュータ、インタフェース機器、リーダ、プリンタ等）から構成されるシステムに適用しても１つの機器からなる装置に適用しても良い。
【００５３】
また、上述した実施形態の機能を実現するように各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００５４】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００５５】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれることは言うまでもない。
【００５６】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００５７】
【発明の効果】
以上のように、本発明によれば、携帯テレビ電話のようにカメラ機能と通信機能とが装備されている通信機能付き撮像装置において、使用者が画面上の被写体をズームインまたはズームアウトを可能にするような特別の機能を、スイッチ類を増やすことなく構成することができる。これにより、小型でデザイン性を損なわない携帯機器を供給することができる。また、無駄なスイッチをなくして、効率よく操作することができるスイッチ構成にしたことにより、操作を簡単に行うことができるとともに、部品点数を減らして安価に製造することができる。
【００５８】
また、本発明の他の特徴によれば、使用者同士で操作が競合した場合も適正な優先順位によって機能実行が行われるようにしたので、通信中でも操作性が損なわれない通信機能付き撮像装置を供給することができる。すなわち、本発明によれば、多機能を装備しながら、無駄なスイッチをなくし、効率よいスイッチ構成にしたことにより、簡単に操作ができる通信機能付き撮像装置を安価に提供することができる。
【図面の簡単な説明】
【図１】第１の実施の形態の携帯テレビ電話を示す図である。
【図２】第１の実施の形態の携帯テレビ電話の機能構成を示すブロック図である。
【図３】第１の実施の形態のレバー押しボタンスイッチの詳細を示す図である。
【図４】第１の実施の形態の携帯テレビ電話の通話モードを示す図である。
【図５】第２の実施の形態の携帯テレビ電話を示す図である。
【図６】第２の実施の形態の回転押しボタンスイッチの詳細を示す図である。
【図７】第２の実施の形態の携帯テレビ電話の通話モードを示す図である。
【図８】第３の実施の形態の携帯テレビ電話の動作を示す図である。
【図９】従来の通信機能付き撮像装置の一例を示す機能ブロック図である。
【符号の説明】
101 撮影レンズ
102 スピーカ
103 液晶ディスプレイ
104 キー群
105 マイク
106 レバー押しボタンスイッチ
107 送受信アンテナ
108 パワースイッチ
201 撮影レンズ
202 レンズ駆動モータ
203 絞り
204 撮像素子
205 CDS/AGC
206 ディジタル信号処理回路
207 画像圧縮回路
208 記録媒体
209 画像伸張回路
210 NTSCエンコーダ
211 ビデオ出力端子
212 液晶ドライバ
213 液晶ディスプレイ
214 通信プロトコル制御回路
215 PHS 送受信部
216 送受信アンテナ
217 カメラコントローラ
218 電話番号メモリ
219 システムコントローラ
220 操作キー類
221 マイク
222 マイクアンプ
223 ディジタル信号処理回路
224 音声圧縮／伸張回路
225 アンプ
226 スピーカ
301 端子
302 端子
303 端子
304 端子
305 端子
306 レバー
307 押しボタンスイッチ
308 抵抗体
309 摺動子
310 A/D コンバータ
501 撮影レンズ
502 スピーカ
503 液晶ディスプレイ
504 キー群
505 マイク
506 回転押しボタンスイッチ
507 送受信アンテナ
508 パワースイッチ
601 端子
602 端子
603 端子
604 端子
605 端子
606 回転ダイヤル
607 押しボタンスイッチ
608 抵抗体
609 摺動子
610 A/D コンバータ
【図１】
0004280337.tif 000002
【図２】
0004280337.tif 000003
【図３】
0004280337.tif 000004
【図４】
0004280337.tif 000005
【図５】
0004280337.tif 000006
【図６】
0004280337.tif 000007
【図７】
0004280337.tif 000008
【図８】
0004280337.tif 000009
【図９】
0004280337.tif 000010